(57)【要約】【課題】読み取った見開き原稿の原稿画像データが、見開き２ページに各々独立して画像が印刷された２ページ原稿であるのか、２ページにまたがって画像が印刷された１ページ原稿であるのかを確実に認識して、分割の可否を的確に判断する。【解決手段】見開き原稿の全ページの原稿画像データのそれぞれから分割予定領域のデータを抽出する分割予定領域データ抽出部５４と、抽出された全ページの分割予定領域のデータに基づいて分割予定領域の基準データを作成する基準データ作成部５５と、基準データと分割予定領域のデータとの差異が予め設定された判定閾値よりも大きい場合には分割否と判定し、判定閾値よりも小さい場合には分割可と判定する分割判定部５６と、判定結果が分割否である場合には、原稿画像データを分割せずに印刷し、判定結果が分割可である場合には、原稿画像データを分割して印刷する画像分割処理部５７と、を備えている。【選択図】図１
2012004859.tif 000002
【特許請求の範囲】
【請求項１】
見開き原稿を分割してコピーする機能を備えたドキュメント作成装置であって、
見開き原稿を読み取って原稿画像データを生成する画像読取手段と、
前記原稿画像データを印刷する印刷手段と、
前記画像読取手段にて生成された見開き原稿の全ページの原稿画像データのそれぞれから、分割する位置を含む分割予定領域のデータを抽出する抽出手段と、
前記抽出手段にて抽出された全ページの分割予定領域のデータに基づいて分割予定領域の基準データを作成する作成手段と、
前記基準データと前記分割予定領域のデータとを比較し、その差分データが予め設定された判定閾値よりも大きい場合には分割否と判定し、前記判定閾値よりも小さい場合には分割可と判定する分割判定手段と、
前記判定手段の判定結果が分割否である場合には、前記原稿画像データを分割せずに前記印刷手段にて印刷し、前記判定手段の判定結果が分割可である場合には、前記原稿画像データを分割して前記印刷手段にて印刷する画像分割処理手段と、を備えたことを特徴とするドキュメント作成装置。
【請求項２】
請求項１に記載のドキュメント作成装置であって、
前記作成手段は、前記抽出手段にて抽出された全ページの分割予定領域のデータについて分割方向の輝度変化が同じ傾向を示す分割予定領域のデータを特定し、その特定した分割予定領域のデータの平均を取って前記基準データを作成することを特徴とするドキュメント作成装置。
【請求項３】
請求項１または請求項２に記載のドキュメント作成装置であって、
前記分割判定手段は、前記基準データと前記分割予定領域のデータとの比較判定を、前記原稿画像の分割予定領域の中の少なくとも２つ以上の領域において行うことを特徴とするドキュメント作成装置。
【請求項４】
請求項３に記載のドキュメント作成装置であって、
前記２つ以上の領域は、前記原稿画像の前記分割予定領域を前記分割方向に直交する方向に区分した２つ以上の直交方向区分領域であることを特徴とするドキュメント作成装置。
【請求項５】
請求項４に記載のドキュメント作成装置であって、
前記作成手段は、前記直交方向区分領域ごとに前記基準データを作成し、
前記分割判定手段は、前記直交方向区分領域ごとに前記基準データと前記分割予定領域のデータとを比較し、前記直交方向区分領域のうち少なくとも１つ以上の直交方向区分領域において、その差分データが予め設定された前記判定閾値よりも大きい場合には、分割否と判定することを特徴とするドキュメント作成装置。
【請求項６】
請求項１から請求項５までのいずれか１項に記載のドキュメント作成装置であって、
前記分割判定手段は、前記基準データと前記分割予定領域のデータとの比較の結果、その差分データが前記判定閾値より小さいと判定したときには、前記基準データと前記分割予定領域のデータとの分割方向のずれ量を取得し、
前記画像分割処理手段は、前記分割判定手段からのずれ量に基づいて分割位置を補正して前記原稿画像データを分割することを特徴とするドキュメント作成装置。
【請求項７】
請求項６に記載のドキュメント作成装置であって、
前記画像分割処理手段は、前記分割判定手段からの差分データに基づき、前記基準データのピーク値と前記分割予定領域のピーク値とが一致するように前記原稿画像データの分割位置を補正することを特徴とするドキュメント作成装置。
【請求項８】
見開き原稿を分割してコピーするドキュメント作成装置において実行されるドキュメント作成方法であって、
見開き原稿を読み取って原稿画像データを生成する原稿画像データ生成手順と、
前記原稿画像データ生成手順にて生成された見開き原稿の全ページの原稿画像データのそれぞれから、分割する位置を含む分割予定領域のデータを抽出する抽出手順と、
前記抽出手順にて抽出された全ページの分割予定領域のデータについて分割方向の輝度変化が同じ傾向を示す分割予定領域のデータを特定し、その特定した分割予定領域のデータの平均を取って基準データを作成する作成手順と、
前記基準データと前記分割予定領域のデータとを比較し、その差分データが予め設定された判定閾値よりも大きい場合には分割否と判定し、前記判定閾値よりも小さい場合には分割可と判定する判定手順と、
前記判定手順の判定結果が分割否である場合には、前記原稿画像データを分割せずに印刷手段にて印刷し、前記判定手順の判定結果が分割可である場合には、前記原稿画像データを分割して印刷手段にてそれぞれ印刷する手順と、を実行することを特徴とするドキュメント作成方法。
【請求項９】
コンピュータに、請求項８に記載の各手順を実行させるためのドキュメント作成プログラム。
【請求項１０】
請求項９に記載のドキュメント作成プログラムを記録したコンピュータ読み取り可能な記録媒体。
【発明の詳細な説明】
【技術分野】
【０００１】
本発明は、見開き原稿を分割してコピーする機能を備えたドキュメント作成装置、ドキュメント作成方法、ドキュメント作成プログラム及び記録媒体に関する。
【背景技術】
【０００２】
従来、本などの見開き原稿の左右または上下のページにまたがってレイアウトされた構成要素がある場合に、その構成要素を分割することなく印刷または画像データとして保存することのできる画像形成装置が提案されている（例えば、特許文献１参照）。
【０００３】
特許文献１に記載の画像形成装置は、見開き原稿の左右または上下のページの画像を別々に形成することの指示が入力された場合に、左右または上下のページにまたがってレイアウトされている構成要素があるか否かを判定し、判定結果が肯定的である場合には原稿画像データを分割せずに出力する一方、判定結果が否定的である場合には画像分割手段に原稿画像データを供給し、原稿画像を左右または上下に２分割した画像を表す分割画像データを生成して出力する構成となっている。
【０００４】
ここで、図１０Ａ〜図１０Ｃを参照して、本などの見開き原稿の概念について説明する。
【０００５】
図１０Ａは、本などの見開き原稿の概念図、図１０Ｂは１ページ原稿の概念図である。
【０００６】
図１０Ａに示す見開き原稿は、左右の２ページに各々独立した画像が印刷されており、中央の余白部分で２つ折りすることにより、本を構成するようになっている。
【０００７】
一方、このような見開き原稿の左右２ページにまたがって、例えば図１０Ｂに示すような１ページ分の画像を印刷する場合があり、この場合には、中央の画像形成部位にて２つ折りすることにより、本を構成することになる。
【０００８】
すなわち、作製された本には、通常、図１０Ａに示す見開きの２ページに各々独立して画像が印刷された２ページ原稿と、図１０Ｂに示す画像が２ページにまたがって印刷された１ページ原稿とが混在している場合がある。
【先行技術文献】
【特許文献】
【０００９】
【特許文献１】特開２００５−３０３７４０号公報
【発明の概要】
【発明が解決しようとする課題】
【００１０】
ところで、このように見開き原稿として２ページ原稿と１ページ原稿とが混在している本などの見開き原稿をコピーする場合、開いた中央部分（すなわち、本の折り目部分）はどうしても画像形成装置の原稿ガラス台に密着して載置できないため、図１０Ａ及び図１０Ｃに示すように、その部分、すなわち分割位置となる中央部分（折り目部分）に一定幅の影１５０が生じる場合がある。
【００１１】
そして、このように中央部分（折り目部分）に一定幅の影１５０が生じるような見開き原稿を分割してコピーする場合、特許文献１記載のものでは、この折り目部分の影１５０の影響によって構成要素に分割することが困難になり、見開き原稿として判定することが困難であるといった問題があった。一方、この一定幅の影１５０部分を構成要素として判定してしまった場合には、本来、分割可能である図１０Ａに示す原稿画像を、分割不可と判定してしまう可能性があるといった問題もあった。
【００１２】
つまり、本来は分割可能であるにも係わらず、判定結果が肯定的となる（すなわち、分割位置に構成要素があると判定される）ため、見開きの２ページに各々独立した画像が印刷された２ページ原稿を分割せずに１ページ原稿として出力してしまう可能性があった。
【００１３】
本発明はかかる問題点を解決すべく創案されたものであり、その目的は、読み取った見開き原稿の中央部分（折り目部分）が影となるような原稿画像データであっても、見開き２ページに各々独立して画像が印刷された２ページ原稿であるのか、２ページにまたがって画像が印刷された１ページ原稿であるのかを確実に認識して、分割の可否を的確に判断することのできるドキュメント作成装置、ドキュメント作成方法、ドキュメント作成プログラム及び記録媒体を提供することにある。
【課題を解決するための手段】
【００１４】
上記課題を解決するため、本発明のドキュメント作成装置は、見開き原稿を分割してコピーする機能を備えたドキュメント作成装置であって、見開き原稿を読み取って原稿画像データを生成する画像読取手段と、前記原稿画像データを印刷する印刷手段と、前記画像読取手段にて生成された見開き原稿の全ページの原稿画像データのそれぞれから、分割する位置を含む分割予定領域のデータを抽出する抽出手段と、前記抽出手段にて抽出された全ページの分割予定領域のデータに基づいて分割予定領域の基準データを作成する作成手段と、前記基準データと前記分割予定領域のデータとを比較し、その差分データが予め設定された判定閾値よりも大きい場合には分割否と判定し、前記判定閾値よりも小さい場合には分割可と判定する分割判定手段と、前記判定手段の判定結果が分割否である場合には、前記原稿画像データを分割せずに前記印刷手段にて印刷し、前記判定手段の判定結果が分割可である場合には、前記原稿画像データを分割して前記印刷手段にて印刷する画像分割処理手段と、を備えたことを特徴としている。
【００１５】
すなわち、本発明のドキュメント作成装置によれば、画像読取手段にて生成された見開き原稿の全ページの原稿画像データのそれぞれから、分割する位置を含む分割予定領域のデータを抽出し、抽出された全ページの分割予定領域のデータに基づいて分割予定領域の基準データを作成する構成としている。より具体的には、前記作成手段は、前記抽出手段にて抽出された全ページの分割予定領域のデータについて分割方向の輝度変化が同じ傾向を示す分割予定領域のデータを特定し、その特定した分割予定領域のデータの平均を取って前記基準データを作成する構成としている。
【００１６】
本などを見開きにしてコピーする場合、見開き原稿の中央部（本の折り目部分）に一定幅の影などができる場合がある。そして、このような本の全ての見開きページをコピーしたとき、画像読取手段にて読み取られた全ての見開きページの原稿画像データには、本の折り目の影を示すデータが、分割方向の中央部に含まれることになる。
【００１７】
すなわち、画像読取手段にて読み取られた原稿画像データが、見開き原稿をコピーしたデータである場合、画像読取手段の光学センサで読み取られた原稿画像データの走査方向（分割方向）の輝度変化は、走査方向の中央部（折り目部分）で輝度レベルのピーク（輝度レベルの最大値または最小値）が現れるような変化となる。
【００１８】
本発明ではこの点に着目し、画像読取手段にて生成された見開き原稿の全ページの原稿画像データのそれぞれから、分割する位置、すなわち折り目部分の影を含む分割予定領域のデータを抽出し、この抽出された全ページの分割予定領域のデータに基づいて分割予定領域の基準データを作成する構成としている。このように、折り目部分の影のデータを含む基準データを作成することで、基準データと見開き原稿の原稿画像データとの比較に際して、折り目部分の影の影響を排除することができる。すなわち、影の部分は基準データと画像読取手段にて生成された見開き原稿の全ページの原稿画像データとの両方に含まれるので無視することができる。そのため、その他の領域でのデータ比較によるデータの一致度によって、分割の可否を的確に判断することが可能となる。従って、本などの各見開き原稿の原稿画像データにおいて、見開き２ページ原稿（左右ページに独立した画像が印刷されている原稿）と見開き１ページ原稿（左右のページにまたがって画像が印刷されている原稿）とが混在している場合であっても、見開き２ページ原稿は確実に分割して印刷し、見開き１ページ原稿は分割せずに印刷することが可能となる。
【００１９】
また、本発明のドキュメント作成装置によれば、前記分割判定手段は、前記基準データと前記分割予定領域のデータとの比較判定を、前記原稿画像の分割予定領域の中の少なくとも２つ以上の領域において行う構成とすることができる。より具体的には、前記２つ以上の領域は、前記原稿画像の前記分割予定領域を分割方向に直交する直交方向に区分した２つ以上の直交方向区分領域とすることができる。
【００２０】
見開き原稿に見開き１ページ原稿の画像が印刷されている場合において、その画像の種類や大きさ、形状、印刷位置等によっては、分割方向の１領域だけで分割の可否を判定すると誤判定してしまう可能性がある。例えば、図７に示すような見開き１ページ原稿１０６の場合、その上部には左右のページにまたがる表１０６ａが印刷されており、中央部から下部にかけては、左右に分かれてその説明文等１６０ｂ，１６０ｃが印刷されている。この見開き原稿１０６は、１ページ原稿であると判定する必要があるが、この見開き１ページ原稿１０６を、例えば原稿の高さ方向（Ｙ）の中央部において分割方向（走査方向）Ｘに走査した場合、その走査線上には上部の表１０６ａが含まれないため、分割可能な見開き２ページ原稿と判定してしまうことになる。そのため、本発明では、基準データと分割予定領域のデータとの比較判定を、原稿画像の分割予定領域の中の少なくとも２つ以上の直交方向区分領域において判定することで、より精度の高い分割可否の判定を行う構成としている。
【００２１】
この場合、前記分割判定手段は、前記直交方向区分領域ごとに前記基準データと前記分割予定領域のデータとを比較し、前記直交方向区分領域のうち少なくとも１つ以上の直交方向区分領域において、その差分データが予め設定された判定閾値よりも大きい場合には、分割否と判定するように構成すればよい。これにより、図７のような見開き１ページ原稿を、見開き１ページ原稿として確実に判定することが可能となる。
【００２２】
また、本発明によれば、前記分割判定手段は、前記基準データと前記分割予定領域のデータとの比較の結果、その差分データが前記分割閾値より小さいと判定したときには、前記基準データと前記分割予定領域のデータとの分割方向のずれ量を取得し、前記画像分割処理手段は、前記分割判定手段からのずれ量に基づいて分割位置を補正して前記原稿画像データを分割する構成とすることができる。すなわち、前記画像分割処理手段は、前記分割判定手段からのずれ量に基づき、前記基準データのピーク値（輝度レベルの最大値または最小値）と前記分割予定領域のピーク値（輝度レベルの最大値または最小値）とが一致するように前記原稿画像データの分割位置を補正する。
【００２３】
このような構成とすれば、分割位置付近の画像に同一性があれば、原稿の画像ずれや読み取り誤差を補正することになり、正確な位置での分割コピーが可能となる。
【００２４】
また、本発明のドキュメント作成方法は、見開き原稿を分割してコピーするドキュメント作成装置において実行されるドキュメント作成方法であって、見開き原稿を読み取って原稿画像データを生成する原稿画像データ生成手順と、前記原稿画像データ生成手順にて生成された見開き原稿の全ページの原稿画像データのそれぞれから、分割する位置を含む分割予定領域のデータを抽出する抽出手順と、前記抽出手順にて抽出された全ページの分割予定領域のデータについて分割方向の輝度変化が同じ傾向を示す分割予定領域のデータを特定し、その特定した分割予定領域のデータの平均を取って基準データを作成する作成手順と、前記基準データと前記分割予定領域のデータとを比較し、その差分データが予め設定された判定閾値よりも大きい場合には分割否と判定し、前記判定閾値よりも小さい場合には分割可と判定する判定手順と、前記判定手順の判定結果が分割否である場合には、前記原稿画像データを分割せずに印刷手段にて印刷し、前記判定手順の判定結果が分割可である場合には、前記原稿画像データを分割して印刷手段にてそれぞれ印刷する手順と、を実行することを特徴としている。また、本発明のドキュメント作成プログラムは、コンピュータに、上記ドキュメント作成方法の各手順を実行させることを特徴としている。また、このドキュメント作成プログラムをコンピュータ読み取り可能な記録媒体に記録したものも、本発明の範疇に含まれる。
【００２５】
本発明のドキュメント作成方法及びドキュメント作成プログラムによれば、本などの各見開き原稿に、見開き２ページ原稿と見開き１ページ原稿とが混在し、この見開き原稿を読み取った原稿画像データに本の折り目部分の影データ等が含まれる場合であっても、その影データに影響されることなく、見開き２ページ原稿は見開き２ページ原稿として確実に判定し、見開き１ページ原稿は見開き１ページ原稿として確実に判定することが可能となる。従って、見開き２ページ原稿は確実に分割して印刷し、見開き１ページ原稿は分割せずに印刷することが可能となる。
【発明の効果】
【００２６】
本発明によれば、見開き原稿に、見開き２ページ原稿と見開き１ページ原稿とが混在している印刷物を分割コピーする場合において、この見開き原稿を読み取った原稿画像データに印刷物の折り目部分の影データが含まれる場合であっても、その影データに影響されることなく、見開き２ページ原稿は見開き２ページ原稿として確実に判定し、見開き１ページ原稿は見開き１ページ原稿として確実に判定することができる。これにより、見開き２ページ原稿は確実に分割して印刷し、見開き１ページ原稿は分割せずに印刷することができる。
【図面の簡単な説明】
【００２７】
【図１】本発明のドキュメント作成装置の全体構成を概略的に示す機能ブロック図である。
【図２Ａ】分割コピーモードの処理動作の具体例１を示すフローチャートである。
【図２Ｂ】分割コピーモードの処理動作の具体例１を示すフローチャートである。
【図３Ａ】見開き２ページ原稿と、その見開き原稿の分割予定領域を、分割する方向に投影処理したときの投影データの例を示す説明図である。
【図３Ｂ】見開き２ページ原稿と、その見開き原稿の分割予定領域を、分割する方向に投影処理したときの投影データの例を示す説明図である。
【図３Ｃ】見開き１ページ原稿と、その見開き原稿の分割予定領域を、分割する方向に投影処理したときの投影データの例を示す説明図である。
【図３Ｄ】見開き２ページ原稿と、その見開き原稿の分割予定領域を、分割する方向に投影処理したときの投影データの例を示す説明図である。
【図４】作成された基準データの一例を示す説明図である。
【図５】（ａ）は、画像処理部の一時記憶媒体に記憶されている見開き２ページ原稿の原稿画像データの例を示す説明図、（ｂ）は、輝度変化を示す投影データの例を示す説明図、（ｃ）は、基準データの例を示す説明図、（ｄ）は、投影データと基準データとの差分データの例を示す説明図である。
【図６】（ａ）は、画像処理部の一時記憶媒体に記憶されている見開き１ページ原稿の原稿画像データの例を示す説明図、（ｂ）は、輝度変化を示す投影データの例を示す説明図、（ｃ）は、基準データの例を示す説明図、（ｄ）は、投影データと基準データとの差分データの例を示す説明図である。
【図７】見開き１ページ原稿の他の例を示す説明図である。
【図８】具体例２にかかる分割判定部での判定処理動作を示すフローチャートである。
【図９】（ａ）は、画像処理部の一時記憶媒体に記憶されている見開き２ページ原稿の原稿画像データの例を示す説明図、（ｂ）は、輝度変化を示す投影データの例を示す説明図、（ｃ）は、基準データの例を示す説明図、（ｄ）は、投影データと基準データとの差分データの例を示す説明図である。
【図１０Ａ】本などの見開き２ページ原稿の概念図である。
【図１０Ｂ】１ページ原稿の概念図である。
【図１０Ｃ】１ページ原稿の中央部に影が印刷された状態の概念図である。
【発明を実施するための形態】
【００２８】
以下、本発明の実施の形態について、図面を参照して説明する。
【００２９】
図１は、本発明のドキュメント作成装置の全体構成を概略的に示す機能ブロック図であり、本実施形態では、このドキュメント作成装置を画像形成装置であるデジタル複合機に適用した場合について説明する。
【００３０】
本実施形態のデジタル複合機１は、見開き原稿を分割してコピーする機能（以下、分割コピーモードともいう。）を備えた複合機であって、大別すると、原稿を走査して画像データを読み取るための読取機構部（光学センサであるＣＣＤユニットや原稿の自動送り装置等）を備えた読取装置（画像読取手段）２と、読取装置２によって読み取られた画像データを印刷する印刷機構部（給紙ユニット、搬送ユニット、画像形成ユニット、転写ユニット、定着ユニット等）を備えた印刷装置（印刷手段）３と、ユーザーによる各種の操作を受け付ける図示しないタッチパネル搭載の液晶表示パネルを備えた表示・操作装置４と、これら各装置２〜４を制御する制御装置５とから構成されている。
【００３１】
制御装置５は、本発明のドキュメント作成装置の主要部を構成するものであって、制御部５１、画像読取部５２、画像処理部５３、分割予定領域データ抽出部５４、基準データ作成部５５、分割判定部５６、画像分割処理部５７、画像出力部５８から構成されている。
【００３２】
画像読取部５２は、読取装置２によって読み取られた見開き原稿の見開き１ページ分の原稿画像データを図示しないメモリなどに格納し、格納した原稿画像データを画像処理部５３へ転送する処理を行う。
【００３３】
画像処理部５３は、画像読取部５２から転送されてきた原稿画像データを指定の解像度に変換して、画像分割処理部５７と分割予定領域データ抽出部５４とに転送する処理を行う。
【００３４】
分割予定領域データ抽出部５４は、画像処理部５３にて指定の解像度に変換された見開き原稿の全ページの原稿画像データのそれぞれから、分割する位置を含む分割予定領域のデータを抽出して、基準データ作成部５５と分割判定部５６とに転送する処理を行う。
【００３５】
基準データ作成部５５は、分割予定領域データ抽出部５４から転送されてきた全ページの分割予定領域のデータに基づいて分割予定領域の基準データを作成し、作成した基準データを分割判定部５６に転送する処理を行う。
【００３６】
分割判定部５６は、基準データ作成部５５から転送されてきた基準データと、分割予定領域データ抽出部５４から転送されてきた分割予定領域データとを比較し、その差分データが予め設定された規定値よりも大きい場合には分割否と判定し、規定値よりも小さい場合には分割可と判定する処理を行い、その判定結果を画像処理分割部５７に出力する。
【００３７】
画像分割処理部５７は、分割判定部５６の判定結果が分割否である場合には、画像処理部５３から転送されてきた原稿画像データを分割せずに画像出力部５８に出力する一方、分割判定部５６の判定結果が分割可である場合には、画像処理部５３から転送されてきた原稿画像データを分割して画像出力部５８に出力する処理を行う。
【００３８】
画像出力部５８は、画像分割部５７から転送されてきた原稿画像データを印刷用の画像データに変換して印刷装置３へ出力する処理を行う。
【００３９】
印刷装置３は、送られてきた印刷データを印字出力する。
【００４０】
表示・操作装置４は、ユーザーが分割コピーモードを指示する際に用いられる。また、分割コピーモードを実施した際の分割結果なども表示されるようになっている。
【００４１】
制御部５１は、図示は省略しているがＣＰＵ、ＲＯＭ、ＲＡＭ等を備えており、表示・操作装置４からのユーザーの分割コピーモードの指示設定情報に基づいて各部の動作を制御するようになっている。また、分割コピーモードを実行するためのドキュメント作成プログラムはＲＯＭに格納されており、ＣＰＵは、分割コピーモードが選択されると、ドキュメント作成プログラムをＲＯＭから順次読み出してＲＡＭ上に展開し、順次実行して、ドキュメント作成（すなわち、分割コピー）を行うようになっている。
【００４２】
＜分割コピーモードの具体例１の説明＞
次に、上記構成のデジタル複合機１において、分割コピーモードが選択された場合の処理動作の具体例１について、図２Ａ，図２Ｂに示すフローチャート、及び図３Ａ〜図３Ｄ、図４、図５（ａ）〜（ｄ）、及び図６（ａ）〜（ｄ）に示す動作説明図を参照して説明する。
【００４３】
ユーザーは、見開き２ページ原稿と見開き１ページ原稿の混載した原稿を読取装置２に載置し、表示・操作装置４のタッチパネルを操作して印刷サイズや分割コピーの設定を行い、スタートキーを押下することにより、分割コピーモードを開始する。
【００４４】
すなわち、読取装置２は、セットされた複数枚の原稿の読み取り動作を開始し、読み取った原稿の見開きページの原稿画像データを画像読取部５２へ順次転送する（ステップＳ１）。
【００４５】
画像読取部５２は、読取装置２によって順次読み取られた見開き１ページの原稿画像データを図示しないメモリなどに一旦格納し、格納した見開き１ページの原稿画像データを画像処理部５３へ順次転送する（ステップＳ２）。
【００４６】
画像処理部５３は、画像読取部５２から順次転送されてくる見開き１ページの原稿画像データを指定の解像度に変換して、図示しない内部のＨＤＤなどの一時記憶媒体に順次保存する（ステップＳ３）。
【００４７】
次に、画像処理部５３は、一時記憶媒体に保存している各見開き１ページの原稿画像データを、まず分割予定領域データ抽出部５４に順次転送する（ステップＳ４）。
【００４８】
分割予定領域データ抽出部５４は、画像処理部５３から転送されてきた全ての見開き１ページの原稿画像データから、分割する位置を含む分割予定領域のデータを抽出して、基準データ作成部５５に転送する（ステップＳ５）。また、分割予定領域データ抽出部５４は、抽出した各ページの分割予定領域のデータを、分割判定部５６から送信要求があるまで、図示しない内部メモリに保存する。
【００４９】
ここで、分割予定領域の抽出方法について説明する。読取装置２にセットされた原稿は自動で検知できるので、分割予定領域は自動的に抽出することができる。例えば、原稿がＡ３サイズであれば、分割サイズはその半分のＡ４サイズであり、従って、分割予定領域もそのＡ４サイズの境界線を挟んで分割方向の所定領域を分割予定領域として抽出すればよい。所定領域は予め設定しておけばよい。また、ユーザーによって分割サイズが設定された場合には、その設定された分割サイズの境界線を挟んで分割方向の所定領域を分割予定領域として抽出すればよい。
【００５０】
基準データ作成部５５は、分割予定領域データ抽出部５４から転送されてきた全ページの分割予定領域のデータに基づいて、分割予定領域の基準データを作成する（ステップＳ６）。
【００５１】
ここで、ステップＳ６の処理、すなわち基準データ作成部５５での基準データの作成手順について、図３Ａ〜図３Ｄに示す説明図を参照して説明する。
【００５２】
基準データ作成部５５は、分割予定領域データ抽出部５４から転送されてきた全ページの分割予定領域のデータから、分割する方向（光学センサの走査方向）の輝度変化が同じ傾向を示す分割予定領域のデータを特定し、その特定した分割予定領域のデータの平均を取って基準データを作成する。
【００５３】
例えば、図３Ａに示す見開き原稿１００の分割予定領域Ｗを、分割する方向（光学センサの走査方向）Ｘに投影処理すると、その投影データＤ１は、図３Ａに示すように、影が現れている折り目部分１０１の輝度平均値（輝度レベル）が低下し、その両側部分では比較的高い輝度平均値（輝度レベル）となる波形変化の投影データとなる。
【００５４】
基準データ作成部５５では、このようにして各原稿画像データの分割予定領域Ｗの投影データを順次取得し、データの波形変化（すなわち、輝度変化）が同じ傾向にある投影データを特定する。
【００５５】
例えば、図３Ａ及び図３Ｂに示す例では、投影データＤ１と投影データＤ２とは、分割予定領域Ｗにおける輝度変化の傾向が似ているため、これらの投影データＤ１，Ｄ２を基準データの作成候補として特定（登録）する。
【００５６】
一方、図３Ｃに示す見開き原稿１０２の原稿画像データの場合、分割予定領域Ｗにおける投影データＤ３の輝度変化の傾向は、先の投影データＤ１，Ｄ２と比べて明らかに異なるため（輝度レベルのピーク（この場合はボトム）が存在しないため）、投影データＤ３は基準データの作成候補から外す（登録しない）。
【００５７】
なお、輝度変化の傾向が似通っているかどうかの判定手法としては、各投影データを２次元ベクトルとして数値化し、その数値の平均を取って比較することで判定することができる。ただし、この判定手法は基準データを作成する一例であって、例えば２次元的な画像を考えると、輝度分布の平均値から基準データを生成し、基準データと各ページの分割予定位置とのピアソンの相関係数を求めて近似度を判定することも可能である。２つの画像の相関を確認するために、ピアソンの相関係数を求める方法は従来周知の技術である。
【００５８】
また、図３Ｄに示すように、分割予定領域Ｗに図示のような明確な分割基準線Ｒ１があるような原稿１０３の原稿画像データから基準データを生成する場合には、投影データＤ４のように輝度変化に明確なボトム値Ｄ４１が存在する。従って、作成候補の各投影データを、このボトム値Ｄ４１の位置を合わせるように分割方向Ｘに位置補正してから、平均を取ることで、より相関性のある基準データを作成することができる。
【００５９】
図４は、このようにして作成された基準データＤ０の一例を示している。ただし、図４に示す基準データＤ０は、図３Ａ，図３Ｂ等の投影データから作成された基準データの一例を示している。
【００６０】
このようにして作成された基準データＤ０は、分割判定部５６に転送される（ステップＳ７）。
【００６１】
分割判定部５６は、基準データ作成部５５で作成された基準データＤ０を受け取ると、分割予定領域データ抽出部５４に対して各ページの分割予定領域のデータの送信を要求する（ステップＳ８）。
【００６２】
分割予定領域データ抽出部５４は、このデータ送信要求に基づき、内部メモリに保存している各ページの分割予定領域データを分割判定部５６に順次送信する（ステップＳ９）。
【００６３】
分割判定部５６は、基準データＤ０と、分割予定領域データ抽出部５４から送信されてくる全ページの原稿画像データの分割予定領域のデータとの差異（すなわち、差分データ）を順次求め（ステップＳ１０）、その差分データと予め設定されている判定閾値との比較（判定処理）を順次行う（ステップＳ１１）。
【００６４】
その結果、差分データが判定閾値よりも小さい場合（ステップＳ１１でＮｏと判断された場合）には、両データに相関性があることから、比較対象の原稿画像データは分割可能と判定（すなわち、見開き２ページ原稿であると判定）し、分割可能信号を分割判定信号として画像処理分割部５７に出力する（ステップＳ１２）。
【００６５】
一方、ステップＳ１１での差分データと判定閾値との比較の結果、差分データが判定閾値よりも大きい場合（ステップＳ１１でＹｅｓと判断された場合）には、両データに相関性がないことから、比較対象の原稿画像データは分割不可能と判定（すなわち、見開き１ページ原稿であると判定）し、分割不可能信号を分割判定信号として画像処理分割部５７に出力する（ステップＳ１３）。
【００６６】
例えば、画像処理部５３の一時記憶媒体に記憶されている原稿画像データが図５（ａ）に示す見開き２ページの原稿１０４の原稿画像データであった場合、この原稿画像データから分割予定領域データ抽出部５４で抽出された分割予定領域Ｗの投影データは、図５（ｂ）のような輝度変化を示す投影データＤ５となり、この投影データＤ５と、図５（ｃ）に示す基準データＤ０との差分データＤ５′は、図５（ｄ）に示すようなレベル変化の波形となり、予め設定されている判定閾値Ｌｓより小さい（すなわち、差異が少ない、別言すれば一致度の高い）データとなっている。
【００６７】
これに対し、画像処理部５３の一時記憶媒体に記憶されている原稿画像データが、例えば図６（ａ）に示す見開き１ページの原稿１０５の原稿画像データであった場合、この原稿画像データから分割予定領域データ抽出部５４で抽出された分割予定領域Ｗの投影データは、図６（ｂ）のような輝度変化を示す投影データＤ６となり、この投影データＤ６と、図６（ｃ）に示す基準データＤ０との差分データＤ６′は、図６（ｄ）に示すようなレベル変化の波形となり、予め設定されている判定閾値Ｌｓより大きい（すなわち、差異が大きい、別言すれば一致度の低い）データとなっている。
【００６８】
すなわち、分割判定部５６では、画像処理部５３の一時記憶媒体に記憶されている原稿画像データが図５（ａ）に示す見開き２ページの原稿１０４の原稿画像データであった場合には、図５（ｂ），（ｃ），（ｄ）に示すような比較処理による分割判定処理を経て、分割可能信号を画像処理分割部５７に出力する一方、画像処理部５３の一時記憶媒体に記憶されている原稿画像データが図６（ａ）に示すような見開き１ページの原稿１０５の原稿画像データであった場合には、図６（ｂ），（ｃ），（ｄ）に示すような比較処理による分割判定処理を経て、分割不可能信号を画像処理分割部５７に出力することになる。
【００６９】
分割判定部５６から原稿分割処理部５７に入力される分割可能信号または分割不可能信号は、読取装置２にセットされた原稿の読み取り順に送られてくる。また、画像処理部５３の一時記憶媒体から画像分割処理部５７に入力される原稿画像データも、読取装置２にセットされた原稿の読み取り順に送られてくる。すなわち、画像分割処理部５７では、画像処理部５３から入力される原稿画像データと、分割判定部５６から入力される分割判定信号（分割可能信号または分割不可能信号）とを、タイミングを合わせて受け取ることができる。
【００７０】
従って、画像分割処理部５７は、画像処理部５３から入力され原稿画像データに対して、分割判定部５６から入力された分割判定信号が分割可能信号であった場合（ステップＳ１１でＮｏと判断された場合）には、ステップＳ１２からステップＳ１４へと処理を進め、画像処理部５３から受け取っている例えばＡ３サンズの原稿画像データを２分割し、各分割原稿画像データを画像出力部５８に順次出力する（ステップＳ１４）。画像出力部５８は、受け取った分割原稿画像データを印刷用の画像に順次変換し、Ａ４サイズ原稿として印刷装置３へ順次出力する（ステップＳ１５）。印刷装置３は、受け取った分割原稿画像データをＡ４サイズの記録紙に順次印刷して出力する（ステップＳ１６）。すなわち、この場合には、図５（ａ）に示す見開き原稿１０４の原稿画像データを、右半分の原稿画像データと左半分の原稿画像データとに分割して、個別にＡ４サイズの記録紙に印刷して出力することになる。
【００７１】
一方、画像分割処理部５７は、画像処理部５３から入力され原稿画像データに対して、分割判定部５６から入力された分割判定信号が分割不可能信号であった場合（ステップＳ１１でＹｅｓと判断された場合）には、ステップＳ１３からステップＳ１７へと処理を進め、画像処理部５３から受け取っている例えばＡ３サイズの原稿画像データを分割せずに画像出力部５８に出力する（ステップＳ１７）。画像出力部５８は、受け取った原稿画像データを印刷用の画像に変換し、Ａ３サイズ原稿として印刷装置３へ出力する（ステップＳ１８）。印刷装置３は、受け取った原稿画像データをＡ３サイズの記録紙に印刷して出力する（ステップＳ１９）。すなわち、この場合には、図６（ａ）に示す見開き１ページの原稿１０５の原稿画像データを、分割することなく、１ページ原稿画像データとして、Ａ３サイズの記録紙に印刷して出力することになる。
【００７２】
分割判定部５６、画像分割処理部５７及び画像出力部５８は、上記ステップＳ１１〜ステップＳ１９の処理を、読取装置２にて読み取られた原稿の全ページについて繰り返し実施し、全ページについて分割印刷の処理を終了すると（ステップＳ２０でＹｅｓと判断されると）、分割コピーモードを終了する。
【００７３】
以上が、分割コピーモードの具体例１の説明である。
【００７４】
＜分割コピーモードの具体例２の説明＞
ところで、見開き原稿に見開き１ページ原稿の画像が印刷されている場合において、その画像の種類や大きさ、形状、印刷位置等によっては、分割方向の１領域だけで分割の可否を判定すると誤判定してしまう可能性がある。例えば、図７に示すような見開き１ページ原稿１０６の場合、その上部には左右のページにまたがるように細い線の表１０６ａが印刷されており、中央部から下部にかけては、左右に分かれてその説明文等１０６ｂ，１０６ｃがそれぞれ印刷されている。このような画像構成の見開き１ページ原稿１０６は、本来、１ページ原稿であると判定する必要があるが、この見開き原稿１０６を、例えば原稿の縦方向（Ｙ）の中央部において分割方向（走査方向）Ｘに走査した場合、その走査線上には上部の表１０６ａが含まれないため、分割可能な見開き２ページ原稿と判定してしまうことになる。
【００７５】
そこで、本実施形態では、分割コピーモードの具体例２として、基準データと分割予定領域のデータとの比較判定を、原稿画像の分割予定領域の中の少なくとも２つ以上の領域において行うことで、より精度の高い分割可否の判定を行う構成としている。
【００７６】
具体的に説明すると、本具体例２では、図７に示すように、原稿画像データの分割予定領域Ｗを、分割方向に直交する直交方向（以下、縦方向という。）Ｙに区分して、３つの直交方向区分領域（以下、縦方向区分領域という。）１１１〜１１３に分割している。
【００７７】
すなわち、図７に示す例では、第１縦方向区分領域１１１に表１０６ａが含まれ、その下の第２縦方向区分領域１１２及び第２縦方向区分領域１１３には、印刷画像が何も含まれない構成となっている。
【００７８】
本具体例２においても、デジタル複合機１の機能ブロック図の構成は、図１に示す構成と同じである。違うところは、分割判定部５６での判定処理動作であるので、ここでは分割判定部５６による判定処理動作（すなわち、図２に示すフローチャートでは、ステップＳ１０とステップＳ１１の処理動作）についてのみ説明する。
【００７９】
図８は、本具体例２にかかる分割判定部５６での判定処理動作の部分のみを示すフローチャートである。
【００８０】
すなわち、分割判定部５６では、基準データＤ０と、分割予定領域データ抽出部５４から送信されてくる全ページの原稿画像データの分割予定領域のデータとの差分データを順次求めるのであるが、このとき、各ページについて、分割予定領域のデータを、第１縦方向区分領域１１１に対応した第１分割予定領域のデータ、第２縦方向区分領域１１２に対応した第２分割予定領域のデータ、及び、第３縦方向区分領域１１３に対応した第３分割予定領域のデータにそれぞれ分割する。そして、第１分割予定領域のデータと基準データＤ０との差分データ（第１差分データ）、第２分割予定領域のデータと基準データＤ０との差分データ（第２差分データ）、第３分割予定領域のデータと基準データＤ０との差分データ（第３差分データ）、をそれぞれ求める（ステップＳ１０−１）。
【００８１】
次に、分割判定部５６は、一つの見開きページの原稿について、まず、第１差分データと判定閾値Ｌｓとを比較する（ステップＳ１１−１）。その結果、第１差分データが判定閾値よりも小さい場合（ステップＳ１１−１でＮｏと判断された場合）には、次に、第２差分データと判定閾値Ｌｓとを比較する（ステップＳ１１−２）。その結果、第２差分データが判定閾値よりも小さい場合（ステップＳ１１−２でＮｏと判断された場合）には、次に、第３差分データと判定閾値Ｌｓとを比較する（ステップＳ１１−３）。その結果、第３差分データが判定閾値よりも小さい場合（ステップＳ１１−３でＮｏと判断された場合）には、両データに相関性があることから、比較対象の原稿画像データは分割可能と判定（すなわち、見開き２ページ原稿であると判定）し、分割可能信号を分割判定信号として画像処理分割部５７に出力する（ステップＳ１２）。
【００８２】
一方、上記ステップＳ１１−１〜ステップＳ１１−３の判定において一つでもＹｅｓと判定された場合には、両データに相関性がないことから、比較対象の原稿画像データは分割不可能と判定（すなわち、見開き１ページ原稿であると判定）し、分割不可能信号を分割判定信号として画像処理分割部５７に出力する（ステップＳ１３）。
【００８３】
上記の判定処理を図７に示した見開き１ページ原稿１０６に適用した場合には、ステップＳ１１−１での判定結果がＹｅｓとなって、ステップＳ１３に処理が進むことになる。
【００８４】
すなわち、具体例２の判定処理を行うことで、図７に示した見開き１ページ原稿１０６を見開き１ページ原稿として正確に判定することが可能となる。
【００８５】
＜分割コピーモードの具体例３の説明＞
なお、上記具体例２では、基準データの作成については特に言及していない。すなわち、上記具体例１と同じとして説明している。つまり、全ページの原稿画像データから１種類の基準データのみを作成する構成としている。
【００８６】
しかし、より正確に分割判定を行うのであれば、基準データについても、第１縦方向区分領域１１１に対応した第１基準データＤ０１、第２縦方向区分領域１１２に対応した第２基準データＤ０２、及び、第３縦方向区分領域１１３に対応した第３基準データＤ０３をそれぞれ作成し、ステップＳ１０−１では、第１分割予定領域のデータと第１基準データＤ０１との差分データ（第１差分データ）、第２分割予定領域のデータと第２基準データＤ０２との差分データ（第２差分データ）、第３分割予定領域のデータと基準データＤ０３との差分データ（第３差分データ）、をそれぞれ求めるように構成すればよい。これにより、次のステップＳ１１−１〜ステップＳ１１−３の判定処理が誤判定のないより正確な判定処理となる。
【００８７】
＜分割コピーモードの他の具体例の説明＞
上記図３Ｄで説明したように、分割予定領域Ｗに明確な分割基準線Ｒ１があるような原稿１０３の原稿画像データから基準データを生成した場合には、その基準データは、投影データＤ４と同様に輝度変化に明確なボトム値が存在するデータ波形となる。従って、このボトム値の分割方向の発生位置を補正することで、より均一な位置（本来の分割位置）での分割コピーが可能となる。
【００８８】
例えば、図９（ａ）に示すように、読取装置２にて読み取られた原稿の分割予定領域Ｗに図示のような明確な分割基準線Ｒ１があるが、この分割基準線Ｒ１がセンター（分割方向の中央部）からずれているような原稿１１０の場合、この原稿画像データから分割予定領域データ抽出部５４で抽出された分割予定領域Ｗの投影データは、図９（ｂ）に示す輝度変化の投影データＤ７となり、この投影データＤ７と、図９（ｃ）に示す基準データＤ０とを比較すると、投影データＤ７のボトム位置７１と、基準データＤ０のボトム位置７２とが分割方向ＸでＸ１だけずれている。従って、分割判定部５６では、これらのピーク（ボトム位置７１，７２）の位置を合わせるように補正（基準データＤ０を左方向にＸ１ずらせる）してから、差分データを取得する。これにより、差分データについても、投影データのずれ量を補正したより正確な差分データを取得することができる。
【００８９】
また、分割判定部５６は、このずれ量（左にＸ１移動）を分割判定信号とともに画像分割処理部５７に出力する。
【００９０】
分割判定部５７は、図９（ａ）に示す原稿の原稿画像データを分割印刷する際に、このずれ量を考慮し、原稿画像データの分割位置をこのずれ量Ｘ１だけずらせた位置（分割基準線Ｒ１）でデータを分割する。これにより、本来の分割位置で正確に分割された分割原稿画像データを印刷することができる。
【００９１】
なお、本発明では、コンピュータに実行させるためのプログラムを記録したコンピュータ読み取り可能な記録媒体に、上記した分割コピーモードの処理動作、すなわちドキュメント作成方法の各手順を実行させるためのドキュメント作成プログラムを記録するものとすることもできる
この記録媒体としては、コンピュータで処理が行われるために図示していないメモリ、例えばＲＯＭのようなものそのものがプログラムメディアであっても良いし、また、図示していないが外部記憶装置としてプログラム読み取り装置が設けられ、そこに記録媒体を挿入することで読み取り可能なプログラムメディアであっても良い。いずれの場合においても、格納されているプログラムコードはマイクロプロセッサがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムコードが実行される方式であってもよい。このダウンロード用のプログラムは予め本体装置に格納されているものとする。
【００９２】
ここで、上記プログラムメディアは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムコードを担持する媒体であっても良い。
【００９３】
また、インターネットを含む通信ネットワークを接続可能なシステム構成である場合には、通信ネットワークからプログラムコードをダウンロードするように流動的にプログラムコードを担持する媒体であっても良い。なお、このように通信ネットワークからプログラムコードをダウンロードする場合には、そのダウンロード用のプログラムは予め本体装置に格納しておくか、あるいは別な記録媒体からインストールされるものであっても良い。
【００９４】
なお、上記実施形態では、基準データ作成部５５での基準データの作成処理と、分割判定部５６での判定処理及び画像分割処理部５７での分割処理とを、見開き原稿の１回の読み取り動作で一連に行うように構成しているが、このような一連の処理に限定されるものではない。例えば、見開き原稿の全ページを１回読み取って、まず、基準データ作成部５５での基準データの作成処理を実行し、その後、同じ見開き原稿の全ページを再度読み取って、今度は、分割判定部５６での判定処理及び画像分割処理部５７での分割処理を実行するというように、それぞれの処理を分けて行うように構成してもよい。
【００９５】
また、今回開示した上記実施形態はすべての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味及び範囲内でのすべての変更が含まれる。
【符号の説明】
【００９６】
１  デジタル複合機（ドキュメント作成装置）
２  読取装置（画像読取手段）
３  印刷装置（印刷手段）
４  表示・操作装置
５  制御装置
５１  制御部（制御手段）
５２  画像読取部（画像読取手段）
５３  画像処理部（画像処理手段）
５４  分割予定領域データ抽出部（抽出手段）
５５  基準データ作成部（作成手段）
５６  分割判定部（分割判定手段）
５７  画像分割処理部（画像分割処理手段）
５８  画像出力部
１００  見開き原稿
１０１  折り目部分
１０２  見開き原稿
１０３  原稿
１０４  見開き２ページの原稿
１０５  見開き１ページの原稿
１０６  見開き１ページ原稿
１０６ａ  表
１０６ｂ，１６０ｃ  説明分等
１１０  原稿
１１１  第１縦方向区分領域
１１２  第２縦方向区分領域
１１３  第３縦方向区分領域
１５０  影
Ｄ１，Ｄ２，Ｄ３，Ｄ４，Ｄ５，Ｄ６，Ｄ７  投影データ
Ｄ５′，Ｄ６′  差分データ
Ｄ０  基準データ
Ｄ０１  第１基準データ
Ｄ０２  第２基準データ
Ｄ０３  第３基準データ
Ｌｓ  判定閾値
Ｒ１  分割基準線
Ｗ  分割予定領域
Ｘ  分割方向（走査方向）
Ｙ  縦方向（分割方向に直交する方向）
【図１】
2012004859.tif 000003
【図２Ａ】
2012004859.tif 000004
【図２Ｂ】
2012004859.tif 000005
【図３Ａ】
2012004859.tif 000006
【図３Ｂ】
2012004859.tif 000007
【図３Ｃ】
2012004859.tif 000008
【図３Ｄ】
2012004859.tif 000009
【図４】
2012004859.tif 000010
【図５】
2012004859.tif 000011
【図６】
2012004859.tif 000012
【図７】
2012004859.tif 000013
【図８】
2012004859.tif 000014
【図９】
2012004859.tif 000015
【図１０Ａ】
2012004859.tif 000016
【図１０Ｂ】
2012004859.tif 000017
【図１０Ｃ】
2012004859.tif 000018